(57)【要約】      （修正有）【課題】簡便かつ低コストでさまざまな型式の電力接続端子を取付けることが可能な接触器を提供する。【解決手段】本体中には、適切な絶縁材で作られ、電磁石２０のＥ字形可動式アーマチュア２３の一部および接点台１７とを収めた消弧ケース４０が設けてある。接点台１７は二つの可動式接点１５をそれぞれ有する接点ブリッジ１６を収める。可動式接点１５に対してそれぞれ固定式接点１４が設けてあり、導体部品１３によって電力端子Ａにつながっている。接点台１７は、接点ブリッジ１６を設けた後部１７ａと、固定式操作接点１９と合わせて作動する可動式操作接点１８を設けた前部１７ｂとを含む。電力端子Ａは、電力端子台５０のハウジング５３内に配置される。電力端子台５０は端子の種類に左右されが、本体内部の消弧ケース４０の形状は電力端子の種類には左右されない。【選択図】図４
2010045044.tif 000002
【特許請求の範囲】
【請求項１】
電気機械式接触器であって、支持体への固定要素を設備され、コイルを有する電磁石(20)および該コイルの引力に応じて移動する可動式接点台(17)を備えた本体(10)を有し、該接触器は、接点台が保持する可動式接点から分離可能な固定電力接点に接続された電力端子(A)と、該コイルに接続された制御端子(B)から成る接触器において、
−接点台(17)が電力端子(A)の種類に依存しないケース(40)の内部に設けてあること、
−電力端子(A)は接触器の本体(10)の一部を構成する電力端子台(50)のハウジング(53)内に配置され、そのハウジングの寸法は電力端子の種類に依存すること、
−電力端子台(50)は、止めとして、電力端子の種類に依存しないケース(40)の対応する形状(42)と組む端子(A)の種類に依存する端子間隔壁(51)を有すること
を特徴とする電気機械式接触器。
【請求項２】
電力端子台(50)の隔壁(51)と組むケース(40)の形状(42)がガイドと止め溝であることを特徴とする請求項１に記載の接触器。
【請求項３】
接触器の本体(10)がその後部に電磁石(20)のコイル(21)と固定アーマチュア(22)を収容する固定台(30)を有し、前部に電力端子台(50)を有し、これは固定台の上に組立てられ、ケース(40)は本体(10)内に設ける特殊な消弧ケースであることを特徴とする請求項１に記載の接触器。
【請求項４】
ケース(40)は電力端子台(50)内にはめ込まれ、接触器本体が電磁石(20)のコイル(21)と固定アーマチュア(22)を収容する固定台(30)に電力端子台を組立てることによって構成されることを特徴とする請求項１に記載の接触器。
【請求項５】
接点台(17)が電力接点の前部に設けてある操作接点を含み、操作端子台(60)が操作接点と作動するように電力端子台(50)上に組込まれていることを特徴とする請求項１に記載の接触器。
【請求項６】
ケース(40)が互いに組立てた半ケース(40a、40b)から成り、組み立てたときには、操作接点と電力接点を区切られるために接触器前面に平行した区切り平面を成すことを特徴とする請求項５に記載の接触器。
【発明の詳細な説明】
【発明の詳細な説明】
【０００１】
本発明は、支持体に対する固定要素を有し、またコイルを有する電磁石とそのコイルの引力に応じて移動する可動式接点台を収容する本体を有する電気機械式接触器に関し、該接触器が接点台が保持する可動式接点から分離可能な固定接点に接続された電力端子と、コイルに接続された制御端子を含む。
【０００２】
近年、例えば、ねじ式端子、弾性ケージ端子、絶縁移動端子、等の多様な種類の電力端子の使用を要求する傾向がある。したがって接触器は本体にさまざまな端子を付加できるようにする必要がある。接触器は最も簡易かつ低コストで、外部電線と端子を容易に接続できるようにこの要求に応じることが望ましい。
【０００３】
本発明は、簡便かつ低コストでさまざまな型式の電力接続端子を取付けることが可能な接触器を構成することを目的とする。
【０００４】
本発明はまた、その操作配線と制御配線を容易化できる接触器を構成することを目的とする。
【０００５】
発明によれば、接点台は非可変性、すなわち電力端子の形式には依存しない、ケース中に設けられる。電力端子は本体の一部を構成する電力端子台のハウジングに配置され、そのハウジングの寸法は想定する端子の種類に依存する。一方、電力端子台は端子の種類に左右される端子間隔壁を有するが、その止めは、電力端子の種類には左右されない、ガイド溝や止め具などのケースの対応する形状と合わせて構成する。
【０００６】
接触器は、非可変性消弧ケースと電力端子の種類によって可変的である電力端子台とを組立てることによって形成することができる。
【０００７】
好ましくは、接触器の本体は、その後部にコイルと電磁石の固定アーマチュアを収容する固定台を有し、前部に電力端子台を有する。これは固定台の上に組立てられ、非可変性ケースは本体内に設ける特殊な消弧ケースであり、とくに電力端子台にはめ込まれる。
【０００８】
接点台は電力接点の前部に設けた操作接点を含んでも良く、この場合には、操作端子台は操作接点と作動するように電力端子台上に組込まれる。
【０００９】
下記、付属の図面を参照して、本発明の好ましい、かつ、非限定的な一実施態様についての記述を行う。
【００１０】
ここに示した多極電気機械式接触器は本体、すなわちその前部10aおよび後部10bを持つ外殻体10を有する。前部10aは電力端子A、制御端子Bおよび操作端子Cを収める。後部10bには支持体との固定に用いる通常要素11が付いており、また電磁石20を収める。本体10は双投電流路12を含む。この電流路12は、固定式電力接点14を持つ固定導体部品13および接点ブリッジ16上に設けた可動式電力接点15を有する。可動式接点ブリッジ16は、電磁石20のコイル21からの引力に応じて移動する接点台内に設けてある。
【００１１】
本体10の前部10aには、電流路13に電圧を掛けるために、電源及び電荷に接続された電線を挿入するように主配線平面PAに電力端子Aが設備され、前部10aにはさらに、制御回路に接続された電線を挿入するために、平面PA前部に位置する制御配線平面PBを形成する制御端子Bが収めてあり、この端子は接触器の内部で電磁石20のコイル21に接続される。又、前部10aには、平面PA前部に位置する、例えば平面PBと一体化している配線平面PCを形成する操作端子Cが設けてあり、この端子は電線もしくはバスによって操作回路、通信回路、又は同様なものに接続されている。
【００１２】
さらに詳細には、接触器の本体もしくはケース10は一般的には平行六面体の台座の形状を有する絶縁材料から成る固定台30を含み、この固定台は上述の後部10bの基本部分を構成しており、したがって固定要素11が付いており、また電磁石20のコイル21及びEの中心部が鉛直に配置したＥ字形固定アーマチュア22を収めてある。
【００１３】
本体10の中には、適切な絶縁材で作られ、電磁石20のE字形可動式アーマチュア23の一部および接点台17とを収めた消弧ケース40が設けてある。接点台17（図4、5および7を参照）は各電極に対応する二つの可動式接点15をそれぞれ有する接点ブリッジ16を収める。可動式接点に対してそれぞれ固定式接点14が設けてあり、導体部品13によって電力端子Aにつながっている。部品13はこのために穴をあけた固定式座金13aを備えている。接点台17は、接点ブリッジ16を設けた後部17aと、後述するように固定式操作接点19と合わせて作動する可動式操作接点18を設けた前部17bとを含む。接点台17は、接触器の前部に留める付属部品に適した接点作動を考えてはめ込み形状17cを呈している。
【００１４】
コイル21は、巻線25を保持し制御端子Bにつなぐための２つのコイル端子26を備えた絶縁枠24を有する。上述の連結は、接触器の正面に対して実質的に垂直方向に配置された各導体バー27によって行い、このバーは消弧ケース40の外面に設置している横断溝28の中に設ける。
【００１５】
消弧ケース40は段状の形態をなしている。すなわち、電力端子台50に覆われている、電力接点−電力端子間の連結のために配線平面PAを形成する段と、操作／制御接点−操作／制御端子間の連結のための、操作／制御端子台60で覆われたPB、PC配線平面を形成する段から成る。消弧ケース40は、接触器の中央面QまたはQに平行する面でもあり得る水平面に応じて、２つの半ケース40a、40bを組立てることによって構成される。各半ケース40a、40bは各極の電力接点間に適切な絶縁を与えるために内部隔壁41を含むが、電力端子間の外部絶縁隔壁はない。各半ケースはガイドおよび溝42を備えており、電力端子台50内に設備されている端子間絶縁隔壁51を位置付けすることができる。消弧ケース40の前部には形状要素44が設備されており、前面付属品を接触器に留めることができるようにする。
【００１６】
図3、また図6、7で示すように各隔壁51は、隣接する固定座金13の背後に設けた、対応する溝42aを貫通している後部51aを有する。隔壁51はまた、電力端子Aの作動部品（Uボルト、弾性ケージ等）に設けた、対応する溝42aを貫通している引込部51bも有している。接触器の中央面Qの付近に設けた隔壁部分は、水平溝42cと共に作動する２個のすべり座51cを含んでいる（図9、10も参照）。ここで溝42a、42b、42cが隔壁51の要素と共に、電力の導体部品間の絶縁距離を拡大する障壁を形成することが分かる。電力端子台は、接触器の中央面Qに平行で端子の基盤面の役割を果たしている面Q'の間仕切52を有する。
【００１７】
電力端子台50が、消弧ケースを変更することなく、異なった形式のコネクタに適合することは注目に値する。図9及び10それぞれにおいて、例えば弾性端子台A1を有する端子台50-1、またはねじ式端子A2を有する端子台50-2を消弧ケースに付加することを示している。図3、9および10で示すように、消弧ケースは同一であるのに間仕切52と端子台の平面Q’の隣接する外部間仕切54との間で作動部品もしくは可動部分に当てられた空間53は、高さ（Y方向）および奥行き（X方向）に可変容積を有している。端子台は、手動で工具を使って端子を扱える前面開口部55およびPA配線平面に設けられ、電力線の挿入に用いる上部又は下部の開口部56を有する。開口部55、56は空間53に通じている。端子台の間仕切52とガス抜き穴の付いた、消弧ケースの平行間仕切53の間に減圧空間57が作られている。端子台50は、消弧ケースの前部40を貫通する窓58を前部に有する。
【００１８】
制御／操作端子台60は接触器本体の前部に組込まれ、この端子台は手動で工具を使って端子を扱える前面開口部61および、PB、PC配線平面に設けた制御及び操作線の挿入に用いる、上部又は下部開口部62を有する。端子台60は、電力端子台50の窓58にはめこむことを可能とする形を有しており、また消弧ケース40の前部を通すための前面開口部63が付いている。
【００１９】
接触器本体は電力端子台と固定台を組立てることによって成っており、この２つの要素が接触器外部パリソンを形成し消弧ケースを完全に覆っていることは注目に値する。電力端子台50はあらゆる通常の手段によって固定台30に固定され、制御／操作端子台60はあらゆる通常の手段によって端子台50および／または消弧ケース40に固定される。
【図面の簡単な説明】
【００２０】
【図１】本発明による接触器の側面概略図。
【図２】接触器の分解組立図。
【図３】消弧ケースと電力端子台の拡大側面概略図。
【図４】接触器本体の側面断面図。
【図５】接触器内部の要素の右斜視図。
【図６】消弧ケースの左斜視図。
【図７】可動式及び固定式接点を省略した、消弧ケース、接点台、電力端子台および操作・制御端子台の分解組立斜視図。
【図８】固定台と電力端子台および操作・制御端子台の右斜視図。
【図９】電力端子台の２つの形態の一方を示す正面図。
【図１０】電力端子台の２つの形態の他方を示す正面図。
【図１】
2010045044.tif 000003
【図２】
2010045044.tif 000004
【図３】
2010045044.tif 000005
【図４】
2010045044.tif 000006
【図５】
2010045044.tif 000007
【図６】
2010045044.tif 000008
【図７】
2010045044.tif 000009
【図８】
2010045044.tif 000010
【図９】
2010045044.tif 000011
【図１０】
2010045044.tif 000012
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
電気機械式接触器であって、
支持体への固定要素が設備され、コイルを有する電磁石(20)を収容する本体(10)であって、可動式接点(15)と前記可動式接点(15)から分離可能な固定接点(14)とを含む電力接点(14,15)と、前記電力接点(14,15)の前部に設けられた操作接点(18,19)とを有し、該コイルの引力に応じて移動する可動式接点台(17)を収容する本体(10)と、
前記固定接点(14)に接続され、ねじ式で電線と接続可能なねじ式端子、および弾性力を付与して電線と接続可能な弾性端子のうちのいずれかの種類からなる電力端子(A)と、
該コイルに接続された制御端子(B)と、
前記操作接点(18,19)に接続された操作端子(C)と、を備え、
接点台(17)が、本体(10)のケース(40)の内部に設けられ、
電力端子(A)は、本体(10)の一部を構成する電力端子台(50)のハウジング(53)内に配置され、
電力端子台(50)は、ケース(40)の対応する形状(42)に係合する端子間隔壁を有し、
電力端子台(50)上に操作端子台(60)が組み込まれ、前記操作端子台(60)は、前記制御端子(B)および前記操作端子(C)を覆っていることを特徴とする電気機械式接触器。
【請求項２】
電力端子台(50)の隔壁(51)と組むケース(40)の形状(42)がガイドと止め溝であることを特徴とする請求項１に記載の接触器。
【請求項３】
接触器の本体(10)がその後部に電磁石(20)のコイル(21)と固定アーマチュア(22)を収容する固定台(30)を有し、前部に電力端子台(50)を有し、これは固定台の上に組立てられ、ケース(40)は本体(10)内に設けられる消弧ケースであることを特徴とする請求項１に記載の接触器。
【請求項４】
ケース(40)は電力端子台(50)内にはめ込まれ、接触器本体が電磁石(20)のコイル(21)と固定アーマチュア(22)を収容する固定台(30)に電力端子台を組立てることによって構成されることを特徴とする請求項１に記載の接触器。
【請求項５】
ケース(40)が互いに組立てた半ケース(40a、40b)から成り、組み立てたときには、操作接点と電力接点を区切るために接触器前面に平行した区切り平面を成すことを特徴とする請求項１に記載の接触器。